【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
一次巻線及び二次巻線を有するトランスと、
前記トランスの前記一次巻線に直列に接続された第一のスイッチング素子と、
前記トランスの前記一次巻線に並列に接続された第二のスイッチング素子と、
前記第二のスイッチング素子に直列に接続され、前記第二のスイッチング素子とともに前記トランスの前記一次巻線に並列に接続されたコンデンサと、
前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、
前記制御手段は、前記第一のスイッチング素子と前記第二のスイッチング素子を交互にオンオフしているスイッチング状態から、前記デットタイム期間よりも長い期間、前記第一のスイッチング素子と前記第二のスイッチング素子が共にオフする停止状態に移行する場合に、前記スイッチング状態において前記第一のスイッチング素子をオフした後、前記第二のスイッチング素子をオンしてから前記停止状態に移行するように前記第一のスイッチング素子と前記第二のスイッチング素子の動作を制御することを特徴とする電源装置。
【請求項２】
前記スイッチング状態から前記停止状態に移行する場合に、前記第二のスイッチング素子がオンする期間は、前記スイッチング状態において前記第二のスイッチング素子がオンする期間よりも短いことを特徴とする請求項１に記載の電源装置。
【請求項３】
前記スイッチング状態から前記停止状態に移行する場合に、前記第二のスイッチング素子がオンする期間は、前記スイッチング状態において前記第二のスイッチング素子がオンする期間の半分以下の期間であることを特徴とする請求項２に記載の電源装置。
【請求項４】
前記スイッチング状態から前記停止状態に移行する場合に、前記コンデンサは、前記第二のスイッチング素子がオンされることにより充電され、前記停止状態では前記充電された状態が保持されることを特徴とする請求項１乃至３のいずれか１項に記載の電源装置。
【請求項５】
前記二次巻線に誘起された電圧に応じた情報を前記制御手段にフィードバックするフィードバック手段を有し、
前記制御手段は、前記フィードバック手段から入力された前記情報が所定値より小さい場合に、前記スイッチング状態から前記停止状態に移行することを特徴とする請求項１乃至４のいずれか１項に記載の電源装置。
【請求項６】
前記制御手段は、外部からの切り換え信号に応じて前記スイッチング状態から前記停止状態に移行することを特徴とする請求項１乃至４のいずれか１項に記載の電源装置。
【請求項７】
前記スイッチング状態と前記停止状態を交互に繰り返す状態における前記電源装置の消費電力は、前記停止状態に移行せずに前記スイッチング状態を継続する状態における前記電源装置の消費電力より小さいことを特徴とする請求項１乃至６のいずれか１項に記載の電源装置。
【請求項８】
一次巻線及び二次巻線を有するトランスと、
前記トランスの前記一次巻線に直列に接続された第一のスイッチング素子と、
前記トランスの前記一次巻線に並列に接続された第二のスイッチング素子と、
前記第二のスイッチング素子に直列に接続され、前記第二のスイッチング素子とともに前記トランスの前記一次巻線に並列に接続されたコンデンサと、
前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、
前記制御手段は、前記デットタイム期間よりも長い停止状態であって、前記第一のスイッチング素子と前記第二のスイッチング素子が共にオフしている停止状態から、前記第一のスイッチング素子と前記第二のスイッチング素子を交互にオンオフするスイッチング状態に移行する場合に、前記第二のスイッチング素子をオンしてから前記スイッチング状態に移行するように前記第一のスイッチング素子と前記第二のスイッチング素子の動作を制御することを特徴とする電源装置。
【請求項９】
前記停止状態から前記スイッチング状態に移行する場合に、前記第二のスイッチング素子がオンする期間は、前記スイッチング状態において前記第二のスイッチング素子がオンする期間よりも短いことを特徴とする請求項８に記載の電源装置。
【請求項１０】
前記停止状態から前記スイッチング状態に移行する場合に、前記第二のスイッチング素子がオンする期間は、前記スイッチング状態において前記第二のスイッチング素子がオンする期間の半分以下の期間であることを特徴とする請求項９に記載の電源装置。
【請求項１１】
前記停止状態から前記スイッチング状態に移行する場合に、前記コンデンサは、前記第二のスイッチング素子がオンされることにより放電されることを特徴とする請求項８乃至１０のいずれか１項に記載の電源装置。
【請求項１２】
前記二次巻線に誘起された電圧に応じた情報を前記制御手段にフィードバックするフィードバック手段を有し、
前記制御手段は、前記フィードバック手段から入力された前記情報が所定値より小さい場合に、前記停止状態から前記スイッチング状態に移行することを特徴とする請求項８乃至１１のいずれか１項に記載の電源装置。
【請求項１３】
前記制御手段は、外部からの切り換え信号に応じて前記停止状態から前記スイッチング状態に移行することを特徴とする請求項８乃至１１のいずれか１項に記載の電源装置。
【請求項１４】
前記スイッチング状態と前記停止状態を交互に繰り返す状態における前記電源装置の消費電力は、前記停止状態に移行せずに前記スイッチング状態を継続する状態における前記電源装置の消費電力より小さいことを特徴とする請求項８乃至１３のいずれか１項に記載の電源装置。
【請求項１５】
記録材に画像形成を行うための画像形成手段と、
前記画像形成を行うために電力を生成する電源装置と、
を備え、
前記電源装置は、
一次巻線及び二次巻線を有するトランスと、
前記トランスの前記一次巻線に直列に接続された第一のスイッチング素子と、
前記トランスの前記一次巻線に並列に接続された第二のスイッチング素子と、
前記第二のスイッチング素子に直列に接続され、前記第二のスイッチング素子とともに前記トランスの前記一次巻線に並列に接続されたコンデンサと、
前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、
前記制御手段は、前記第一のスイッチング素子と前記第二のスイッチング素子を交互にオンオフするスイッチング状態から、前記デットタイム期間よりも長い停止状態であって、前記第一のスイッチング素子と前記第二のスイッチング素子が共にオフする停止状態に移行する場合に、前記スイッチング状態において前記第一のスイッチング素子をオフした後、前記第二のスイッチング素子をオンしてから前記停止状態に移行するように前記第一のスイッチング素子と前記第二のスイッチング素子の動作を制御することを特徴とする画像形成装置。
【請求項１６】
前記スイッチング状態から前記停止状態に移行する場合に、前記第二のスイッチング素子がオンする期間は、前記スイッチング状態において前記第二のスイッチング素子がオンする期間よりも短いことを特徴とする請求項１５に記載の画像形成装置。
【請求項１７】
前記スイッチング状態から前記停止状態に移行する場合に、前記第二のスイッチング素子がオンする期間は、前記スイッチング状態において前記第二のスイッチング素子がオンする期間の半分以下の期間であることを特徴とする請求項１６に記載の画像形成装置。
【請求項１８】
前記スイッチング状態から前記停止状態に移行する場合に、前記コンデンサは、前記第二のスイッチング素子がオンされることにより充電され、前記停止状態では前記充電された状態が保持されることを特徴とする請求項１５乃至１７のいずれか１項に記載の画像形成装置。
【請求項１９】
前記二次巻線に誘起された電圧に応じた情報を前記制御手段にフィードバックするフィードバック手段を有し、
前記制御手段は、前記フィードバック手段から入力された前記情報が所定値より小さい場合に、前記スイッチング状態から前記停止状態に移行することを特徴とする請求項１５乃至１８のいずれか１項に記載の画像形成装置。
【請求項２０】
前記制御手段は、外部からの切り換え信号に応じて前記スイッチング状態から前記停止状態に移行することを特徴とする請求項１５乃至１８のいずれか１項に記載の画像形成装置。
【請求項２１】
前記画像形成装置は、印字指示に応じてすぐに画像形成動作を実行可能なスタンバイモードと、前記スタンバイモードよりも消費電力が小さいスリープモードに切り換え可能であり、
前記制御手段は、前記スリープモードにおいて、前記スイッチング状態と前記停止状態を交互に繰り返す状態になるように前記第一のスイッチング素子と前記第二のスイッチング素子の動作を制御し、前記スタンバイモードにおいて、前記停止状態無しに前記スイッチング状態を継続する状態になるように前記第一のスイッチング素子と前記第二のスイッチング素子の動作を制御することを特徴とする請求項１５乃至２０のいずれか１項に記載の画像形成装置。
【請求項２２】
記録材に画像形成を行うための画像形成手段と、
前記画像形成を行うために電力を生成する電源装置と、
を備え、
前記電源装置は、
一次巻線及び二次巻線を有するトランスと、
前記トランスの前記一次巻線に直列に接続された第一のスイッチング素子と、
前記トランスの前記一次巻線に並列に接続された第二のスイッチング素子と、
前記第二のスイッチング素子に直列に接続され、前記第二のスイッチング素子とともに前記トランスの前記一次巻線に並列に接続されたコンデンサと、
前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、
前記制御手段は、前記デットタイム期間よりも長い停止状態であって、前記第一のスイッチング素子と前記第二のスイッチング素子が共にオフする停止状態から、前記第一のスイッチング素子と前記第二のスイッチング素子を交互にオンオフするスイッチング状態に移行する場合に、前記第二のスイッチング素子をオンしてから前記スイッチング状態に移行するように前記第一のスイッチング素子と前記第二のスイッチング素子の動作を制御することを特徴とする画像形成装置。
【請求項２３】
前記停止状態から前記スイッチング状態に移行する場合に、前記第二のスイッチング素子がオンする期間は、前記スイッチング状態において前記第二のスイッチング素子がオンする期間よりも短いことを特徴とする請求項２２に記載の画像形成装置。
【請求項２４】
前記停止状態から前記スイッチング状態に移行する場合に、前記第二のスイッチング素子がオンする期間は、前記スイッチング状態において前記第二のスイッチング素子がオンする期間の半分以下の期間であることを特徴とする請求項２３に記載の画像形成装置。
【請求項２５】
前記停止状態から前記スイッチング状態に移行する場合に、前記コンデンサは、前記第二のスイッチング素子がオンされることにより放電されることを特徴とする請求項２２乃至２４のいずれか１項に記載の画像形成装置。
【請求項２６】
前記二次巻線に誘起された電圧に応じた情報を前記制御手段にフィードバックするフィードバック手段を有し、
前記制御手段は、前記フィードバック手段から入力された前記情報が所定値より小さい場合に、前記停止状態から前記スイッチング状態に移行することを特徴とする請求項２２乃至２５のいずれか１項に記載の画像形成装置。
【請求項２７】
前記制御手段は、外部からの切り換え信号に応じて前記停止状態から前記スイッチング状態に移行することを特徴とする請求項２２乃至２６のいずれか１項に記載の画像形成装置。
【請求項２８】
前記画像形成装置は、印字指示に応じてすぐに画像形成動作を実行可能なスタンバイモードと、前記スタンバイモードよりも消費電力が小さいスリープモードに切り換え可能であり、
前記制御手段は、前記スリープモードにおいて、前記スイッチング状態と前記停止状態を交互に繰り返す状態になるように前記第一のスイッチング素子と前記第二のスイッチング素子の動作を制御し、前記スタンバイモードにおいて、前記停止状態無しに前記スイッチング状態を継続する状態になるように前記第一のスイッチング素子と前記第二のスイッチング素子の動作を制御することを特徴とする請求項２２乃至２７のいずれか１項に記載の画像形成装置。
【手続補正２】
【補正対象書類名】明細書
【補正対象項目名】０００８
【補正方法】変更
【補正の内容】
【０００８】
（１）一次巻線及び二次巻線を有するトランスと、前記トランスの前記一次巻線に直列に接続された第一のスイッチング素子と、前記トランスの前記一次巻線に並列に接続された第二のスイッチング素子と、前記第二のスイッチング素子に直列に接続され、前記第二のスイッチング素子とともに前記トランスの前記一次巻線に並列に接続されたコンデンサと、前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、前記制御手段は、前記第一のスイッチング素子と前記第二のスイッチング素子を交互にオンオフしているスイッチング状態から、前記デットタイム期間よりも長い期間、前記第一のスイッチング素子と前記第二のスイッチング素子が共にオフする停止状態に移行する場合に、前記スイッチング状態において前記第一のスイッチング素子をオフした後、前記第二のスイッチング素子をオンしてから前記停止状態に移行するように前記第一のスイッチング素子と前記第二のスイッチング素子の動作を制御することを特徴とする電源装置。
（２）一次巻線及び二次巻線を有するトランスと、前記トランスの前記一次巻線に直列に接続された第一のスイッチング素子と、前記トランスの前記一次巻線に並列に接続された第二のスイッチング素子と、前記第二のスイッチング素子に直列に接続され、前記第二のスイッチング素子とともに前記トランスの前記一次巻線に並列に接続されたコンデンサと、前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、前記制御手段は、前記デットタイム期間よりも長い停止状態であって、前記第一のスイッチング素子と前記第二のスイッチング素子が共にオフしている停止状態から、前記第一のスイッチング素子と前記第二のスイッチング素子を交互にオンオフするスイッチング状態に移行する場合に、前記第二のスイッチング素子をオンしてから前記スイッチング状態に移行するように前記第一のスイッチング素子と前記第二のスイッチング素子の動作を制御することを特徴とする電源装置。
（３）記録材に画像形成を行うための画像形成手段と、前記画像形成を行うために電力を生成する電源装置と、を備え、前記電源装置は、一次巻線及び二次巻線を有するトランスと、前記トランスの前記一次巻線に直列に接続された第一のスイッチング素子と、前記トランスの前記一次巻線に並列に接続された第二のスイッチング素子と、前記第二のスイッチング素子に直列に接続され、前記第二のスイッチング素子とともに前記トランスの前記一次巻線に並列に接続されたコンデンサと、前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、前記制御手段は、前記第一のスイッチング素子と前記第二のスイッチング素子を交互にオンオフするスイッチング状態から、前記デットタイム期間よりも長い停止状態であって、前記第一のスイッチング素子と前記第二のスイッチング素子が共にオフする停止状態に移行する場合に、前記スイッチング状態において前記第一のスイッチング素子をオフした後、前記第二のスイッチング素子をオンしてから前記停止状態に移行するように前記第一のスイッチング素子と前記第二のスイッチング素子の動作を制御することを特徴とする画像形成装置。
（４）記録材に画像形成を行うための画像形成手段と、前記画像形成を行うために電力を生成する電源装置と、を備え、前記電源装置は、一次巻線及び二次巻線を有するトランスと、前記トランスの前記一次巻線に直列に接続された第一のスイッチング素子と、前記トランスの前記一次巻線に並列に接続された第二のスイッチング素子と、前記第二のスイッチング素子に直列に接続され、前記第二のスイッチング素子とともに前記トランスの前記一次巻線に並列に接続されたコンデンサと、前記第一のスイッチング素子を繰り返しオンオフする場合に、前記第一のスイッチング素子のオフする期間において、前記第一のスイッチング素子のオフする前記期間よりも短い期間、前記第二のスイッチング素子をオンし、前記第一のスイッチング素子と前記第二のスイッチング素子の両方がオフするデットタイム期間を形成するようにして、前記第一のスイッチング素子と前記第二のスイッチング素子を交互にオンオフする制御手段と、を備え、前記制御手段は、前記デットタイム期間よりも長い停止状態であって、前記第一のスイッチング素子と前記第二のスイッチング素子が共にオフする停止状態から、前記第一のスイッチング素子と前記第二のスイッチング素子を交互にオンオフするスイッチング状態に移行する場合に、前記第二のスイッチング素子をオンしてから前記スイッチング状態に移行するように前記第一のスイッチング素子と前記第二のスイッチング素子の動作を制御することを特徴とする画像形成装置。
【手続補正３】
【補正対象書類名】明細書
【補正対象項目名】０００９
【補正方法】削除
【補正の内容】